(57)【要約】【課題】容易に使用でき、かつ興趣性が良好な玩具を提供する。【解決手段】コンピュータ４に接続したマウス２からコンピュータ４に送信する外部入力信号Ｉにより作動部３５が作動する。コンピュータ４に予めプログラムをインストールするなどの必要がなく、コンピュータ４に接続するだけで容易に使用できる。作動部３５の作動により興趣性が良好になる。モータの回転方向により軸支位置が切り替え可能な切替ギヤを、本体部２５の収容部に回転可能に軸支する。首振りクランク部および首前後振りクランク部を可動部４４に接続する。首振りクランク部の上下動により左右に揺動可能かつ首前後振りクランク部の上下動により前後方向に揺動可能に本体部に可動部４４を軸支する。外部入力信号Ｉに応じて互いに交差する方向に可動部４４がそれぞれ作動するため、興趣性がより向上する。【選択図】　　　　図１
2004113396.tif 000002
【特許請求の範囲】
【請求項１】
コンピュータおよびコンピュータに接続される外部入力手段の間に接続され、外部入力手段からコンピュータに送信される外部入力信号により作動される作動部を具備した
ことを特徴とした玩具。
【請求項２】
作動部が収容された本体部を具備し、
前記作動部は、
外部入力手段からコンピュータに送信される外部入力信号により順逆両方向にそれぞれ回転駆動されるモータと、
前記本体部に回転可能に軸支され、前記モータの回転方向により軸支位置が切り替え可能な切替ギヤと、
この切替ギヤの一方の軸支位置での回転により上下動される第１のクランク部と、
前記切替ギヤの他方の軸支位置での回転により上下動される第２のクランク部と、
前記第１のクランク部および第２のクランク部がそれぞれ接続された可動部とを備え、
この可動部は、前記第１のクランク部の上下動により揺動可能、かつ前記第２のクランク部の上下動により前記第１のクランク部の上下動による揺動方向と交差する方向に揺動可能に本体部に軸支された
ことを特徴とした請求項１記載の玩具。
【請求項３】
外部入力手段からコンピュータに送信される外部入力信号により音声を発生する音声発生手段を具備した
ことを特徴とした請求項１または２記載の玩具。
【請求項４】
外部入力手段からコンピュータに送信される外部入力信号により点灯する点灯手段を具備した
ことを特徴とした請求項１ないし３いずれか一記載の玩具。
【請求項５】
外部入力手段は、マウスである
ことを特徴とした請求項１ないし４いずれか一記載の玩具。
【発明の詳細な説明】
【０００１】
【発明の属する技術分野】
本発明は、コンピュータおよびコンピュータに接続される外部入力手段の間に接続される玩具に関する。
【０００２】
【従来の技術】
従来、この種の玩具としては、例えばコンピュータにＵＳＢ（Ｕｎｉｖｅｒｓａｌ　Ｓｅｒｉａｌ　Ｂｕｓ）接続される作動部を備えた本体部を有するものが知られており、この玩具の本体部には、マウス、あるいはテンキーなどがＵＳＢ接続される。
【０００３】
そして、マウス、あるいはテンキーなどの操作によりコンピュータに送信される外部入力信号を、コンピュータに予めインストールしたプログラムなどにより処理し、コンピュータから信号を玩具に送信して作動部を作動させる（例えば、非特許文献１参照。）。
【０００４】
【非特許文献１】
［ｏｎｌｉｎｅ］、株式会社サンリオ、［平成１４年９月２日検索］、インターネット＜ＵＲＬ：ｈｔｔｐ：／／ｗｗｗ．ｓａｎｒｉｏ．ｃｏ．ｊｐ／ｐｒｏｄｕｃｔｓ／ｈｕｂ／ｗｅｌｃｏｍｅ．ｈｔｍｌ＞
【０００５】
【発明が解決しようとする課題】
しかしながら、上記従来技術では、マウスなどからコンピュータに送信される外部入力信号を一旦コンピュータのプログラムで処理した後、玩具へと送信することにより、外部信号を処理するプログラムを予めコンピュータにインストールする必要があるなど、使用するための手順が煩雑であるという問題点を有している。
【０００６】
本発明はこのような点に鑑みなされたもので、容易に使用でき、かつ興趣性が良好な玩具を提供することを目的とする。
【０００７】
【課題を解決するための手段】
請求項１記載の玩具は、コンピュータおよびコンピュータに接続される外部入力手段の間に接続され、外部入力手段からコンピュータに送信される外部入力信号により作動される作動部を具備したものである。
【０００８】
そして、コンピュータに接続された外部入力手段からコンピュータに送信される外部入力信号により作動部が作動されるため、例えばコンピュータに予めプログラムをインストールするなどの必要がなく、コンピュータに接続するだけで容易に使用でき、かつ作動部の作動により興趣性が良好になる。
【０００９】
請求項２記載の玩具は、請求項１記載の玩具において、作動部が収容された本体部を具備し、前記作動部は、外部入力手段からコンピュータに送信される外部入力信号により順逆両方向にそれぞれ回転駆動されるモータと、前記本体部に回転可能に軸支され、前記モータの回転方向により軸支位置が切り替え可能な切替ギヤと、この切替ギヤの一方の軸支位置での回転により上下動される第１のクランク部と、前記切替ギヤの他方の軸支位置での回転により上下動される第２のクランク部と、前記第１のクランク部および第２のクランク部がそれぞれ接続された可動部とを備え、この可動部は、前記第１のクランク部の上下動により揺動可能、かつ前記第２のクランク部の上下動により前記第１のクランク部の上下動による揺動方向と交差する方向に揺動可能に本体部に軸支されたものである。
【００１０】
そして、外部入力手段からコンピュータに送信される外部入力信号により回転駆動されるモータの回転方向により軸支位置が切り替え可能な切替ギヤを、本体部に回転可能に軸支し、この切替ギヤの一方の軸支位置での回転により上下動される第１のクランク部および切替ギヤの他方の軸支位置での回転により上下動される第２のクランク部がそれぞれ接続された可動部を、第１のクランク部の上下動により揺動可能、かつ第２のクランク部の上下動により第１のクランク部の上下動による揺動方向と交差する方向に揺動可能に本体部に軸支する。この結果、外部入力手段からコンピュータに送信される外部入力信号に応じて、互いに交差する方向に可動部がそれぞれ作動するため、興趣性がより向上する。
【００１１】
請求項３記載の玩具は、請求項１または２記載の玩具において、外部入力手段からコンピュータに送信される外部入力信号により音声を発生する音声発生手段を具備したものである。
【００１２】
そして、外部入力手段からコンピュータに送信される外部入力信号により音声発生手段にて音声を発生するため、作動部の作動による視覚的効果とともに音声発生手段の音声による聴覚的効果を得ることができ、興趣性がより向上する。
【００１３】
請求項４記載の玩具は、請求項１ないし３いずれか一記載の玩具において、外部入力手段からコンピュータに送信される外部入力信号により点灯する点灯手段を具備したものである。
【００１４】
そして、外部入力手段からコンピュータに送信される外部入力信号により点灯手段が点灯するため、作動部の作動および点灯手段の点灯による視覚的効果にて興趣性がより向上する。
【００１５】
請求項５記載の玩具は、請求項１ないし４いずれか一記載の玩具において、外部入力手段が、マウスであるものである。
【００１６】
そして、外部入力手段がマウスであることにより、作動部の作動を介してマウスの種々の操作を外部から目視確認できる。
【００１７】
【発明の実施の形態】
以下、本発明の玩具の一実施の形態の構成を図１ないし図６を参照して説明する。
【００１８】
図１は、玩具装置１を示し、この玩具装置１は、外部入力手段としてのマウス２、このマウス２とＵＳＢ（Ｕｎｉｖｅｒｓａｌ　Ｓｅｒｉａｌ　Ｂｕｓ）接続された玩具としてのマウスペット３、およびこのマウスペット３にＵＳＢ接続されたコンピュータ４により構成されている。
【００１９】
ここで、マウス２は、いわゆるホイールマウスであり、このマウス２の楕円形状のマウス本体１１の前側部には、マウスペット３に接続されるマウス接続ケーブル１２が設けられている。また、マウス本体１１における前側上面には、第１の入力部としての左ボタン１３および第２の入力部としての右ボタン１４がマウス本体１１の幅方向に互いに隣接して設けられており、これら左ボタン１３および右ボタン１４の間には、第３の入力部としてのホイール１５がマウス本体１１の前後方向に回転可能に設けられている。
【００２０】
そして、左ボタン１３および右ボタン１４を押す、すなわちクリックすること、あるいはホイール１５を回転、すなわちホイールさせることにより、それぞれ互いに異なる外部入力信号Ｉがコンピュータ４に送信される。
【００２１】
さらに、マウス本体１１の下面には、図示しないボール部が設けられており、このボール部が例えばデスク上面などの操作面に当接した状態でマウス本体１１を左右方向、すなわち方向Ｘ、あるいは前後方向、すなわち方向Ｙへと移動操作することにより、それぞれ互いに異なる外部入力信号Ｉがコンピュータ４に送信される。
【００２２】
また、マウスペット３は、マウス２のマウス接続ケーブル１２がＵＳＢ接続されるＵＳＢポート２１およびコンピュータ４に接続される接続ケーブル２２を備えた土台部２３を有しており、この土台部２３の上部には、上方に突出した略角筒状の突出本体部２４が設けられている。これら土台部２３および突出本体部２４により、本体部２５が構成されている。
【００２３】
ここで、土台部２３は、図２ないし図５に示すように、内部下側に図示しない電池が着脱可能に取り付けられる電池ケース部２６を備えており、この電池ケース部２６の下部には、土台部２３の下面の一部となる平板状の電池蓋部２７が着脱可能に取り付けられている。この電池蓋部２７の取り付けにより、電池ケース部２６内に取り付けられた電池の土台部２３からの飛び出しを防止する。
【００２４】
また、図１に示すように、土台部２３内には、制御部としてのマイクロコンピュータ、すなわちマイコン３１が収容されている。このマイコン３１は、マウス２の移動操作、左ボタン１３、右ボタン１４およびホイール１５の操作などによりこのマウス２からコンピュータ４にそれぞれ送信される外部入力信号Ｉの一部を検出している。この外部入力信号Ｉは、そのままコンピュータ４へも送信される。
【００２５】
さらに、マイコン３１は、音声発生手段としての音声ＩＣ３２、および点灯手段としての発光ダイオード、すなわちＬＥＤ（Ｌｉｇｈｔ　Ｅｍｉｔｔｉｎｇ　Ｄｉｏｄｅ）３３を備えている。
【００２６】
ここで、音声ＩＣ３２は、図示しないスピーカなどに接続されており、例えばマウス２の左ボタン１３および右ボタン１４のクリックによる外部入力信号Ｉにより、それぞれ異なる音声を発生する。
【００２７】
一方、ＬＥＤ３３は、例えばマウス２のホイール１５の操作により点灯し、かつホイール１５の操作を停止すると消灯する。
【００２８】
そして、電池ケース部２６の上方である土台部２３の上面の略中心域には、図２ないし図５に示すように、突出本体部２４が嵌合されてこの突出本体部２４内と連通される角孔状の上部貫通孔３４が貫通して設けられている。
【００２９】
また、突出本体部２４は、マウスペット３の幅方向に長手方向を有しており、図１に示すように、マイコン３１の上部に電気的に接続された作動部３５を土台部２３との間で収容する収容部としての略角筒状のギヤボックス３６を収容している。
【００３０】
ここで、作動部３５は、駆動部４１、ギヤ部４２、クランク部４３および可動部４４により構成されている。
【００３１】
さらに、駆動部４１は、図２ないし図５に示すように、モータ５１を備えている。このモータ５１は、電池ケース部２６の上部におけるマウスペット３の一側寄りに配設されている。そして、モータ５１には、マイコン３１にて検出した外部入力信号Ｉが伝達されて、例えばマウス本体１１を方向Ｘに移動操作した場合には、図２に示すように正面視で左回り、すなわち反時計回り方向に回転駆動され、マウス本体１１を方向Ｙに移動操作した場合には、図４に示すように正面視で右回り、すなわち時計回り方向に回転駆動されるなど、外部入力信号Ｉにより順逆両方向に回転駆動される。
【００３２】
また、モータ５１には、図２ないし図５に示すように、一対の端子５２が上部側方に突出して設けられている。これら端子５２は、図示しないリード線などにより電池ケース部２６内の電池に電気的に接続されている。
【００３３】
さらに、モータ５１は、マウスペット３の土台部２３内の後部側、かつ水平にギヤボックス３６から突出した回転軸５３を備えている。すなわち、モータ５１は、マウスペット３の前後方向に軸方向を有している。そして、回転軸５３には、モータプーリ５４が軸支されている。この結果、モータプーリ５４は、モータ５１の回転により回転駆動される。
【００３４】
また、電池ケース部２６の上部におけるモータプーリ５４の側方である、マウスペット３の幅方向の略中心域には、このモータプーリ５４よりも大径の従動車としてのプーリ５５が回転可能にギヤボックス３６に軸支されている。すなわち、プーリ５５は、土台部２３内の後部側に設けられている。このプーリ５５は、軸方向をマウスペット３の前後方向、かつ水平に有しており、マウスペット３の前後方向においてモータプーリ５４と略等しい位置、かつモータプーリ５４よりも軸支位置が若干上側に設けられている。
【００３５】
また、モータプーリ５４およびプーリ５５の間には、図２および図４に示すように、連結部材としての無端状のゴムベルト５６が平行掛けされている。このゴムベルト５６により、プーリ５５がモータプーリ５４の回転にて従動回転する。
【００３６】
そして、駆動部４１は、これらモータプーリ５４、プーリ５５およびゴムベルト５６により構成されている。
【００３７】
さらに、プーリ５５の回転軸の前側であるギヤボックス３６内の後側には、図３および図５に示すように、プーリ５５よりも小径のギヤ６１がプーリ５５と同軸上に設けられている。このギヤ６１は、プーリ５５の回転に連動して回転する。そして、図２ないし図５に示すように、このギヤ６１の上方のギヤボックス３６には、接続ギヤ６２がギヤ６１の軸支位置の直上部に回転可能に軸支されている。
【００３８】
この接続ギヤ６２は、マウスペット３の前後方向に回転軸方向を有しており、プーリ５５よりも若干小径の接続大ギヤ６３を有している。また、この接続大ギヤ６３の前部には、この接続大ギヤ６３よりも小径の接続小ギヤ６４が同軸上に一体に設けられている。さらに、接続大ギヤ６３の回転軸とギヤ６１の回転軸との中心間距離は、接続大ギヤ６３の半径寸法とギヤ６１の半径寸法との和よりも若干小さく形成されている。したがって、接続大ギヤ６３は、下側がギヤ６１に歯合されており、ギヤ６１の回転により接続ギヤ６２を回転させる。そして、この接続大ギヤ６３の回転に連動して接続小ギヤ６４が回転する。
【００３９】
また、接続ギヤ６２の上方のギヤボックス３６には、前後方向に貫通して長孔６５が設けられている。この長孔６５は、図２および図４に示すように、マウスペット３の幅方向に長手方向を有しており、正面視で接続ギヤ６２の回転軸を中心にマウスペット３の幅方向に対称な円弧状に形成されている。
【００４０】
さらに、この長孔６５には、切替ギヤ６６が回転可能に軸支されている。すなわち、切替ギヤ６６は、マウスペット３の前後方向に回転軸方向を有している。この切替ギヤ６６は、接続ギヤ６２の接続大ギヤ６３と略同径の切替大ギヤ６７を有しており、この切替大ギヤ６７の前部には、接続小ギヤ６４と略同径、かつ接続小ギヤ６４よりも大きい軸方向寸法を有した切替小ギヤ６８が一体に設けられている。
【００４１】
そして、切替大ギヤ６７の回転軸と接続ギヤ６２の回転軸との中心間距離は、切替大ギヤ６７の半径寸法と接続小ギヤ６４の半径寸法との和よりも若干小さく形成されている。すなわち、切替大ギヤ６７の下側は、接続ギヤ６２の接続大ギヤ６３の上側に正面視で重なっている。このため、切替大ギヤ６７は、下側が接続ギヤ６２の接続小ギヤ６４に歯合されており、接続ギヤ６２の回転により切替ギヤ６６が回転される。また、接続ギヤ６２の回転方向により、切替ギヤ６６の軸支位置が長孔６５に沿って移動し、この長孔６５の長手方向の両端位置に切り替えられる。
【００４２】
さらに、切替小ギヤ６８は、ギヤボックス３６内の前後方向の略中心域から前側に亘って位置しており、切替大ギヤ６７の回転に連動して回転する。
【００４３】
そして、ギヤ部４２は、ギヤ６１、接続ギヤ６２および切替ギヤ６６により構成されている。
【００４４】
また、切替ギヤ６６の上方のギヤボックス３６には、第１のクランクギヤ部としての首振りクランクギヤ７１が回転可能に軸支されている。この首振りクランクギヤ７１は、マウスペット３の前後方向に回転軸方向を有しており、マウスペット３の幅方向において切替ギヤ６６よりもモータ５１と反対側に位置し、かつ前後方向において切替小ギヤ６８の前端側に位置している。
【００４５】
さらに、切替ギヤ６６の一方の軸支位置、すなわち切替ギヤ６６が正面視で長孔６５の左端位置の際のこの切替ギヤ６６の回転軸と、首振りクランクギヤ７１の回転軸との中心間距離は、切替小ギヤ６８の半径寸法と首振りクランクギヤ７１の半径寸法の和よりも若干小さく形成されている。すなわち、首振りクランクギヤ７１の下側は、切替ギヤ６６の切替大ギヤ６７の上側に正面視で重なっている。したがって、首振りクランクギヤ７１は、切替ギヤ６６が正面視で長孔６５の左端位置の際に、切替ギヤ６６の切替小ギヤ６８に歯合し、切替ギヤ６６の回転により回転される。
【００４６】
そして、首振りクランクギヤ７１の前部には、前方向に向けて段状に形成された円柱状の軸支部７２が首振りクランクギヤ７１と同軸上に一体に形成されている。この軸支部７２は、先端側がギヤボックス３６の前側に設けられた図示しない固定孔に挿通されている。
【００４７】
また、軸支部７２の前部には、円柱状の首振り軸支部７３が首振りクランクギヤ７１の回転軸に対して偏心して一体に設けられている。この首振り軸支部７３は、側面視でギヤボックス３６の前側に突出している。
【００４８】
さらに、この首振り軸支部７３には、第１のシャフト部としての首振りロッド７４が取り付けられている。この首振りロッド７４は、細長平板状に形成されており、下端部に設けられた下側軸支貫通孔７５に首振り軸支部７３が挿通されることにより首振り軸支部７３に軸支されている。したがって、首振りロッド７４の下端部は、首振りクランクギヤ７１に偏心軸支されている。
【００４９】
このため、首振りクランクギヤ７１の回転により、この首振りクランクギヤ７１の回転中心について首振り軸支部７３が偏心回転し、首振りロッド７４が上下動される。そして、これら首振りクランクギヤ７１および首振りロッド７４により、第１のクランク部としての首振りクランク部７６が構成されている。
【００５０】
一方、切替ギヤ６６の上方のギヤボックス３６における首振りクランクギヤ７１の側方には、第２のクランクギヤ部としての首前後振りクランクギヤ８１が軸支されている。この首前後振りクランクギヤ８１は、首振りクランクギヤ７１と略同径に形成されており、マウスペット３の前後方向に回転軸方向を有している。
【００５１】
また、首前後振りクランクギヤ８１は、マウスペット３の幅方向において切替ギヤ６６よりもモータ５１寄りに位置し、かつ前後方向において切替大ギヤ６７と首振りクランクギヤ７１との間に位置している。さらに、首前後振りクランクギヤ８１の回転軸と首振りクランクギヤ７１の回転軸との中心間の距離は、首振りクランクギヤ７１の半径寸法よりも若干大きくなっている。このため、首前後振りクランクギヤ８１の首振りクランクギヤ７１側は、この首振りクランクギヤ７１と重なっている。
【００５２】
そして、切替ギヤ６６の他方の軸支位置、すなわち切替ギヤ６６が正面視で長孔６５の右端位置の際のこの切替ギヤ６６の回転軸と、首前後振りクランクギヤ８１の回転軸との中心間距離は、切替小ギヤ６８の半径寸法と首前後振りクランクギヤ８１の半径寸法の和よりも若干小さく形成されている。すなわち、首前後振りクランクギヤ８１の下側は、切替大ギヤ６７の上側に正面視で重なっている。したがって、首前後振りクランクギヤ８１は、切替ギヤ６６が正面視で長孔６５の右端位置の際に、切替ギヤ６６の切替小ギヤ６８に歯合し、切替ギヤ６６の回転により回転される。
【００５３】
また、首前後振りクランクギヤ８１の前部には、前方向に向けて段状に形成された円柱状の軸支部８２が首前後振りクランクギヤ８１と同軸上に一体に形成されている。この軸支部８２は、先端側がギヤボックス３６の前側に設けられた固定孔８３に挿通されている。
【００５４】
さらに、軸支部８２の前部には、円柱状の首前後振り軸支部８４が首前後振りクランクギヤ８１の回転軸に対して偏心して一体に設けられている。この首前後振り軸支部８４は、側面視でギヤボックス３６の前側に突出している。
【００５５】
そして、この首前後振り軸支部８４には、第２のシャフト部としての首前後振りロッド８５が取り付けられている。この首前後振りロッド８５は、平面視略Ｌ字状に形成されており、下端部に設けられた下側貫通孔８６に首前後振り軸支部８４が挿通されることにより首前後振り軸支部８４に軸支されている。したがって、首前後振りロッド８５の下端部は、首前後振りクランクギヤ８１に偏心軸支されている。
【００５６】
このため、首前後振りクランクギヤ８１の回転により、この首前後振りクランクギヤ８１の回転中心について首前後振り軸支部８４が偏心回転し、首前後振りロッド８５が上下動される。
【００５７】
そして、これら首前後振りクランクギヤ８１および首前後振りロッド８５により、第２のクランク部としての首前後振りクランク部８７が構成されている。
【００５８】
また、首振りロッド７４の上端部および首前後振りロッド８５の上端部は、揺動部としての首部９１に、第１の可動接続部としての首部品９２および第２の可動接続部としての首中継部品９３を介してそれぞれ接続されている。
【００５９】
さらに、クランク部４３は、首振りクランク部７６、首前後振りクランク部８７、首部品９２および首中継部品９３により構成されている。
【００６０】
ここで、首部９１は、図６に示すように、例えば有底角筒状の受部９４を上部に有しており、この受部９４の両側面の下部には、平板状の支持部９５，９６がそれぞれ下方に突出して一体に設けられている。また、これら支持部９５，９６の幅方向の中心域の下側には、係合孔９７が貫通して設けられている。そして、支持部９６の下端部は、支持部９５の下端部よりも下方に延出しており、この支持部９６の係合孔９７の下方には、凸弧状の切欠部９８がこの支持部９６の下端部に亘って切り欠き形成されている。
【００６１】
また、受部９４には、例えば球状に形成された頭部９９の下部に設けられた図示しない角柱状のシャフト部が挿入されて、首部９１に頭部９９が固定されている。
【００６２】
そして、可動部４４は、これら首部９１および頭部９９により構成されている。
【００６３】
一方、首部品９２は、マウスペット３の略円筒状の本体部１０１を備えている。この本体部１０１は、首部９１の前後方向の寸法と略等しい軸方向寸法、かつ首部９１の支持部９５，９６の間の距離寸法と略等しい径寸法に形成されている。また、本体部１０１の軸方向の中心域の両側部には、円柱状の係合軸部１０２がそれぞれ本体部１０１の径方向に突出して一体に設けられている。これら係合軸部１０２の径寸法は、首部９１の係合孔９７の径寸法と略等しく形成されており、これら係合孔９７に係合されて首部品９２を首部９１に揺動可能に軸支している。すなわち、本体部１０１は、マウスペット３の前後方向に軸方向を沿わせた状態で首部９１に取り付けられている。
【００６４】
さらに、首部品９２の軸方向の一端側である前端部には、平板状の係合部１０３が本体部１０１の軸方向に対して垂直な方向である首振りロッド７４側に突出して一体に設けられている。この係合部１０３は、図３および図５に示すように、首部９１に首部品９２を軸支した状態で首部９１の支持部９５，９６よりも前側に位置している。
【００６５】
また、係合部１０３には、図６に示すように、本体部１０１と同軸上にこの本体部１０１内と連通した貫通孔１０４が設けられている。この貫通孔１０４には、例えば図示しない金属シャフトなどが挿通されており、このシャフトがギヤボックス３６の前後部に軸支されることにより、首部品９２がギヤボックス３６に軸支されている。
【００６６】
そして、係合部１０３における貫通孔１０４の側方には、円柱状の軸部１０５が本体部１０１の軸方向に突出して一体に設けられている。この軸部１０５は、正面視で本体部１０１の中心軸に対して側方にずれた位置に設けられており、首振りロッド７４の上端側に貫通して設けられた上側軸支貫通孔１０６に挿通されている。
【００６７】
このため、首振りロッド７４の上下動により、首部品９２が貫通孔１０４を中心に揺動することで、図１および図２の２点鎖線に示すように、首部９１がマウスペット３の幅方向に揺動可能となっている。
【００６８】
また、首中継部品９３は、図６に示すように、略Ｌ字平板状の中継本体部１１１を有しており、この中継本体部１１１は、突出部を下方および前方に向けて配設されている。この中継本体部１１１の下部の突出部には、この中継本体部１１１の側方に突出した円柱状の中継突出部１１２が一体に設けられている。この中継突出部１１２は、切欠部９８の径寸法よりも小さい径寸法、かつ首部９１の幅寸法よりも若干大きい寸法に形成されている。
【００６９】
さらに、この中継突出部１１２は、正面視で首部９１の右側方から首部９１の切欠部９８に挿通されて嵌合されており、図２および図４に示すように、先端部が支持部９５の内側面近傍に位置している。
【００７０】
そして、中継本体部１１１の前部の突出部には、図６に示すように、中継突出部１１２の突出方向と反対方向、すなわち中継本体部１１１の後方に突出した円柱状の中継係合部１１３が一体に設けられている。この中継係合部１１３は、中継突出部１１２よりも小さい径寸法および突出寸法に形成されており、首前後振りロッド８５の上端前側にこの首前後振りロッド８５の面方向に対して垂直に設けられた上側貫通孔１１４に挿通されている。
【００７１】
また、中継本体部１１１の中心部には、軸支貫通孔１１５が貫通して設けられている。この軸支貫通孔１１５は、係合孔９７と略同径に形成されており、図示しない金属シャフトなどにより首部品９２の係合軸部１０２と同軸上にギヤボックス３６に軸支されている。
【００７２】
このため、首前後振りロッド８５の上下動により、首中継部品９３が軸支貫通孔１１５を中心に揺動することで、図４の２点鎖線に示すように、首部９１の首振りクランク部７６による揺動方向と交差する方向、すなわちマウスペット３の前後方向に首部９１が揺動可能となっている。
【００７３】
さらに、頭部９９の外部には、例えばいわゆるマスコットキャラクタ、あるいは動物のぬいぐるみなどの図示しない人形部が着脱可能に嵌着されている。
【００７４】
そして、コンピュータ４は、図１に示すように、接続ケーブル２２が接続される本体側ＵＳＢポート１２１を備えたコンピュータ本体１２２を有しており、このコンピュータ本体１２２上には、このコンピュータ本体１２２に接続されたディスプレイ１２３が載置されている。
【００７５】
次に、上記一実施の形態の動作を説明する。
【００７６】
まず、操作者がマウス２を方向Ｘに移動操作すると、この移動操作に応じた外部入力信号Ｉが接続ケーブル１１などを介してマウス２からコンピュータ４へと送信される。
【００７７】
このとき、外部入力信号Ｉの一部をマイコン３１が検知し、作動部３５に伝達すると、図２に示すように、モータ５１が正面視で時計回りに回転し、モータプーリ５４が時計回りに回転する。
【００７８】
さらに、ゴムベルト５６によりプーリ５５が従動回転され、このプーリ５５の回転によりギヤ６１が正面視で時計回りに回転すると、このギヤ６１に歯合された接続ギヤ６２が正面視で反時計回り、すなわちギヤ６１と反対方向に回転する。
【００７９】
このため、この接続ギヤ６２の接続小ギヤ６４に歯合された切替ギヤ６６が正面視で時計回り、すなわち接続ギヤ６２と反対方向に回転するとともに、正面視で長孔６５の左端部に軸支位置が切り替わる。
【００８０】
この状態で、切替ギヤ６６の切替小ギヤ６８が首振りクランクギヤ７１と歯合し、この首振りクランクギヤ７１が正面視で反時計回り、すなわち切替ギヤ６６と反対方向に回転すると、この首振りクランクギヤ７１に偏心軸支された首振りロッド７４が上下動する。
【００８１】
このとき、首振りロッド７４の上下動により、首部品９２の係合部１０３が貫通孔１０４を中心に上下方向に回動するため、首部品９２の係合軸部１０２が係合された首部品９２が貫通孔１０４を中心に上下方向に回動し、図１および図２の２点鎖線に示すように、首部品９２と接続された首部９１が頭部９９とともにマウスペット３の幅方向に揺動する。
【００８２】
一方、操作者がマウス２を方向Ｙに移動操作すると、マウス２からコンピュータ４へと送信された外部入力信号Ｉの一部をマイコン３１が検知し、作動部３５に伝達して、図４に示すように、モータ５１が正面視で反時計回りに回転し、モータプーリ５４が反時計回りに従動回転する。
【００８３】
さらに、プーリ５５、ギヤ６１および接続ギヤ６２が順次互いに反対方向に回転し、この接続ギヤ６２の接続小ギヤ６４に歯合された切替ギヤ６６が正面視で反時計回り、すなわち接続ギヤ６２と反対方向に回転するとともに、正面視で長孔６５の右端部に軸支位置が切り替わる。
【００８４】
この状態で、切替ギヤ６６の切替小ギヤ６８が首前後振りクランクギヤ８１と歯合し、この首前後振りクランクギヤ８１が正面視で時計回り、すなわち切替ギヤ６６と反対方向に回転すると、この首前後振りクランクギヤ８１に偏心軸支された首前後振りロッド８５が上下動する。
【００８５】
このとき、この首前後振りロッド８５の上側貫通孔１０６および首中継部品９３により、首前後振りロッド８５の上下動の位相が９０°変化し、首中継部品９３の中継本体部１１１が軸支貫通孔１１５を中心に上下方向に回動すると、中継突出部１１２が首部９１の切欠部９８の側部に当接し、図５に示すように、首部９１が頭部９９とともにマウスペット３の前後方向に揺動する。
【００８６】
また、操作者が左ボタン１３、あるいは右ボタン１４をクリックすると、外部入力信号Ｉにより、マイコン３１内の音声ＩＣ３２に接続されたスピーカなどにてそれぞれ異なった音声、例えばマスコットキャラクタなどの鳴き声などが発生される。
【００８７】
さらに、操作者がホイール１５をホイールさせると、外部入力信号Ｉにより、マイコン３１内のＬＥＤ３３が点灯する。例えばＬＥＤ３３をマスコットキャラクタなどの目の部分などに設けることにより、マスコットキャラクタなどの目を発光させることができる。
【００８８】
そして、マウス２の各種操作による外部入力信号Ｉは、コンピュータ４へもそのまま送信され、コンピュータ４内で所定の処理をされる。
【００８９】
上述したように、上記一実施の形態によれば、コンピュータ４にＵＳＢ接続されたマウス２からコンピュータ４に送信される外部入力信号Ｉの一部をマイコン３１にて検知し、このマイコン３１により伝達された外部入力信号Ｉにより作動部３５が作動される。すなわち、マウス２による外部入力信号Ｉは、そのままコンピュータ４へも送信されるため、例えばコンピュータ４に予めプログラムをインストールするなどの必要がなく、マウスペット３をコンピュータ４に接続するだけで容易に使用でき、かつ作動部３５の作動により興趣性が良好になる。
【００９０】
また、切替ギヤ６６が正面視で長孔６５の左端部に位置している際に、この切替ギヤ６６に歯合される首振りクランクギヤ７１を介して首振りロッド７４が上下動することにより、首部９１および頭部９９が貫通孔１０４を中心にマウスペット３の幅方向に揺動されるとともに、切替ギヤ６６が正面視で長孔６５の右端部に位置している際に、この切替ギヤ６６に歯合される首前後振りクランクギヤ８１を介して首前後振りロッド８５が上下動することにより、首部９１および頭部９９が軸支貫通孔１１５を中心にマウスペット３の前後方向に揺動される。この結果、マウス２からコンピュータ４に送信される外部入力信号Ｉに応じて、幅方向および前後方向に作動部３５がそれぞれ作動するため、興趣性をより向上できる。
【００９１】
さらに、マウス２の左ボタン１３および右ボタン１４をクリックすることでコンピュータ４に送信される外部入力信号Ｉの一部により、音声ＩＣ３２およびスピーカにて音声を発生するため、可動部４４の作動による視覚的効果とともに音声による聴覚的効果を得ることができ、興趣性をより向上できる。
【００９２】
そして、マウス２のホイール１５をホイールさせることでコンピュータ４に送信される外部入力信号Ｉの一部により、ＬＥＤ３３が点灯するため、可動部４４の作動およびＬＥＤ３３の点灯による視覚的効果にて興趣性をより向上できる。
【００９３】
また、作動部３５の作動などを介して、マウス２の種々の操作を外部から目視確認できる。
【００９４】
さらに、首振りロッド７４および首前後振りロッド８５を、首部品９１および首中継部品９２などの比較的単純な部材で首部９１に接続して、可動部４４を幅方向および前後方向に揺動させることができるため、作動部３５の機構を比較的簡略化でき、製造性を向上できる。
【００９５】
そして、接続大ギヤ６３および接続小ギヤ６４にて接続ギヤ６２を形成し、切替大ギヤ６７および切替小ギヤ６８にて切替ギヤ６６を形成することにより、接続ギヤ６２と切替ギヤ６６との間の距離、あるいは切替ギヤ６６と首振りクランクギヤ７１および首前後振りクランクギヤ８１との間の距離を小さくできるため、マウスペット３全体を容易に小型化できる。
【００９６】
なお、上記一実施の形態において、マウス２は、ホイールマウスに限定されるものではなく、あるいはマウス２以外の、例えば数値入力用キーボード、すなわちテンキーなどを外部入力手段として用いてもよい。
【００９７】
また、作動部３５、あるいは可動部４４の構造、配置および形状などは、上記一実施の形態の構成に限定されるものではなく、例えばギヤなどの数、あるいは接続方向などを、マウスペット３の形状、あるいは作動部３５の所望の動作などに応じて変化させてもよい。
【００９８】
さらに、マウス２とマウスペット３との接続およびマウスペット３とコンピュータ４との接続は、ＵＳＢ接続に限定されない。
【００９９】
そして、コンピュータ４は、例えばいわゆるノート型など、いずれのタイプでも適用可能である。
【０１００】
【発明の効果】
請求項１記載の玩具によれば、コンピュータに接続された外部入力手段からコンピュータに送信される外部入力信号により作動部が作動されるため、例えばコンピュータに予めプログラムをインストールするなどの必要がなく、コンピュータに接続するだけで容易に使用でき、かつ作動部の作動により興趣性が良好になる。
【０１０１】
請求項２記載の玩具によれば、外部入力手段からコンピュータに送信される外部入力信号により回転駆動されるモータの回転方向により軸支位置が切り替え可能な切替ギヤを、本体部に回転可能に軸支し、この切替ギヤの一方の軸支位置での回転により上下動される第１のクランク部および切替ギヤの他方の軸支位置での回転により上下動される第２のクランク部がそれぞれ接続された可動部を、第１のクランク部の上下動により揺動可能、かつ第２のクランク部の上下動により第１のクランク部の上下動による揺動方向と交差する方向に揺動可能に本体部に軸支する。この結果、外部入力手段からコンピュータに送信される外部入力信号に応じて、互いに交差する方向に可動部がそれぞれ作動するため、興趣性をより向上できる。
【０１０２】
請求項３記載の玩具によれば、外部入力手段からコンピュータに送信される外部入力信号により音声発生手段にて音声を発生するため、作動部の作動による視覚的効果とともに音声発生手段の音声による聴覚的効果を得ることができ、興趣性をより向上できる。
【０１０３】
請求項４記載の玩具によれば、外部入力手段からコンピュータに送信される外部入力信号により点灯手段が点灯するため、作動部の作動および点灯手段の点灯による視覚的効果にて興趣性をより向上できる。
【０１０４】
請求項５記載の玩具によれば、外部入力手段がマウスであることにより、作動部の作動を介してマウスの種々の操作を外部から目視確認できる。
【図面の簡単な説明】
【図１】本発明の玩具の一実施の形態を示す説明図である。
【図２】同上玩具を示す正面図である。
【図３】同上玩具を示す側面図である。
【図４】同上玩具を示す正面図である。
【図５】同上玩具を示す側面図である。
【図６】同上玩具装置の一部を分解して示す斜視図である。
【符号の説明】
２　　外部入力手段としてのマウス
３　　玩具としてのマウスペット
４　　コンピュータ
２５　　本体部
３２　　音声発生手段としての音声ＩＣ
３３　　点灯手段としてのＬＥＤ
３５　　作動部
４４　　可動部
５１　　モータ
６６　　切替ギヤ
７６　　第１のクランク部としての首振りクランク部
８７　　第２のクランク部としての首前後振りクランク部
Ｉ　　外部入力信号
【図１】
2004113396.tif 000003
【図２】
2004113396.tif 000004
【図３】
2004113396.tif 000005
【図４】
2004113396.tif 000006
【図５】
2004113396.tif 000007
【図６】
2004113396.tif 000008